(57)【要約】      （修正有）【課題】工事に伴って発生し建築物類から落下する粉塵や、ガラなどと通称される異物を足場本体部分で受け止め、地上まで落下させないようにし、また昇降足場に容易に着脱可能な異物落下防止装置を提供する。【解決手段】マストに昇降可能に設けた足場本体を有する昇降足場において、昇降足場と建築物類との間の隙間に配置し、工事に伴って発生し落下する異物を受け止めるために、異物を受け止め得る素材から成り、足場本体と建築物類との間の隙間を塞ぐ大きさ及び形状を有する落下防止板２１と、上記落下防止板２１を足場本体に回転可能に取り付けたヒンジ機構２２を具備する。【選択図】図３
0003167834.tif 000002
【実用新案登録請求の範囲】
【請求項１】
マストに昇降可能に設けた足場本体を有する昇降足場において、昇降足場と建築物類との間の隙間に配置し、工事に伴って発生し落下する異物を受け止める装置であって、
異物を受け止め得る素材から成り、足場本体と建築物類との間の隙間を塞ぐ大きさ及び形状を有する落下防止板と、上記落下防止板を、その先端部が建築物類に接触するように、足場本体に回転可能に取り付けたヒンジ機構を具備して構成された
昇降足場における異物落下防止装置。
【請求項２】
落下防止板は、その先端部を建築物類にもたせかけるか、或いは先端部を支えることによって傾斜状態で配置するものとし、上記先端部に建築物類側と接触する弾力性を有する保護部材を設けたことを特徴とする
請求項１記載の昇降足場における異物落下防止装置。
【請求項３】
ヒンジ機構は、足場本体の構造体に着脱可能なヒンジ金具と、上記ヒンジ金具を用いて足場本体に取り付けたヒンジ軸と、上記ヒンジ軸に回転可能に係止した係止金具を具備し、上記係止金具は落下防止板に基端部側にて取り付けられている
請求項１記載の昇降足場における異物落下防止装置。
【請求項４】
落下防止板は、その左右どちらかの端部に蝶番金具を用いて取り付けられ、落下防止板の上面に重ねた不使用位置から、反転させて隣接の落下防止板２１に渡し、狭い方の間隔部分を塞ぐ落下防止補助片を有しており、上記落下防止補助片は、基端側と先端側に夫々ゴム等の弾性素材から成る可撓片を有している
請求項１記載の昇降足場における異物落下防止装置。
【考案の詳細な説明】
【技術分野】
【０００１】
本考案は、マストに昇降可能に設けた足場本体を有する昇降足場において、昇降足場と建築物類との間の隙間に配置し、工事に伴って発生し落下する異物を受け止める装置に関するものである。
【背景技術】
【０００２】
昇降足場は、主として建築物や構築物（以下、建築物類という。）の表面に対する工事に用いられ、その工事には、例えば、アンカーボルト等の取り付け工事、タイル等の貼り付け工事、塗装工事等があり、作業の種類は新築工事とともに改修工事がある。従って、昇降足場は、それらの建築物類の壁面に対して比較的狭い隙間をおいて設置され、作業者は昇降足場上にて隙間越しに作業をすることになる。
【０００３】
昇降足場は１本又は複数本のマストに沿って昇降可能な足場本体を有し、先行技術としては特開平７−１９７６４１号、特開平１０−４６７９９号などがある。こうした昇降足場は、必要に応じて建築物類の壁面と壁つなぎにより結合され、作業上の安全性は確保されている。しかし、昇降足場は工事の進行につれて移動させながら使用するという事情もあり、そのため、足場本体と建築物類との間には、少なからぬ隙間が必要である。
【０００４】
上記の観点から、作業者が足場本体上などをいわゆるブルーシートなどで覆うことも行われる。しかし、工事に伴って、上記壁面では粉塵や、ガラなどと通称される異物が間断なく発生するので、ブルーシートにより覆うことだけでこれらの落下物を止めることには無理がある。また、工事中であることから一帯に注意が喚起されているとはいえ、異物が隙間から漏れ落ちることがあれば危険性もある。
【０００５】
【特許文献１】特開平７−１９７６４１号
【特許文献２】特開平１０−４６７９９号
【考案の開示】
【考案が解決しようとする課題】
【０００６】
本考案は前記の点に着目してなされたもので、その課題は、工事に伴って発生し建築物類から落下する粉塵や、ガラなどと通称される異物を足場本体部分で受け止め、地上まで落下させないようにして、予測される危険性を排除することである。また、本考案の他の課題は、昇降足場に容易に着脱可能であり、移動設置し易い異物落下防止装置を提供することである。
【課題を解決するための手段】
【０００７】
前記の課題を解決するため、本考案は、マストに昇降可能に設けた足場本体を有する昇降足場において、昇降足場と建築物類との間の隙間に配置し、工事に伴って発生し落下する異物を受け止める装置について、異物を受け止め得る素材から成り、足場本体と建築物類との間の隙間を塞ぐ大きさ及び形状を有する落下防止板と、上記落下防止板を、その先端部が建築物類に接触するように、足場本体に回転可能に取り付けたヒンジ機構を具備して構成するという手段を講じたものである。
【０００８】
本考案の異物落下防止装置を適用する、昇降足場は、作業用のスペースとなる足場本体を有し、かつ、昇降可能なものであればどのような構造、種類であっても良い。足場本体は、通常、マストに昇降可能に装置された昇降機に取り付けられる、水平な細長い構造体であり、作業者を保護するために保護枠を一体に備えている。また、昇降足場は、必要に応じて建築物類の壁面と壁つなぎにより結合される。
【０００９】
本考案の異物落下防止装置は、異物を受け止め得る素材から成り、足場本体と建築物類との間の隙間を塞ぐ大きさ及び形状を有する落下防止板を具備している。落下防止板で受け止めるべき異物は、前述の建築物類から落下する粉塵や、ガラなどと通称される異物が本来のものであるが、工事中に作業者が誤って取り落とす可能性のあるクギやピン或いはボルトやナット、手工具なども受け止められることが望まれる。この目的を満たす素材としては、合板、プラスチック板、軽金属板など、軽量かつ所要の剛性と強度を有する板材が適している。また、落下防止板の形状については、建築物類の多くが直線的外形を有していることから長方形が主となるが、上記隙間を塞ぐ異形のもの、例えば曲線カーブ形状やカギ型のものなども含められる。
【００１０】
上記落下防止板を、その先端部が建築物類に接触するように、足場本体に回転可能に取り付けるために、本装置はヒンジ機構を具備して構成される。回転可能であることによって、足場本体と建築物類との間の隙間よりも幅の広い落下防止板であれば、先端部を建築物類の壁面に当てることができ、他に何も必要とせずに支えることができる。
【００１１】
上記落下防止板は、その先端部を建築物類にもたせかけるか、或いは先端部を支えることによって傾斜状態で配置するものであることが望ましい。もたせかける以外の支え手段としては、上から吊る方法があるが、下から押し上げることも可能である。また、落下防止板の先端部には、建築物類側と接触する弾力性を有する保護部材を設けることが望ましい。建築物類の側を傷付けず、かつまた、弾力性によって壁面の形状通りに曲げられ、隙間を効果的に塞ぐことができる。
【００１２】
上記ヒンジ機構には、足場本体の構造体に着脱可能なヒンジ金具と、上記ヒンジ金具を用いて足場本体に取り付けたヒンジ軸と、上記ヒンジ軸に回転可能に係止した係止金具を具備し、上記係止金具が落下防止板に基端部側にて取り付けられているという構成を取ることができる。着脱可能なヒンジ金具とこれを用いて足場本体に取り付けたヒンジ軸を具備することで、本考案の装置を、昇降足場に容易に着脱することが可能になる。
【考案の効果】
【００１３】
本考案は以上のように構成され、かつ、作用するものであるから、工事に伴って建築物類から落下する粉塵や、ガラなどと通称される異物を足場本体部分で受け止め、地上まで落下させないようにして、工事中に予測される危険性を排除することができるという効果を奏する。また、本考案によれば、昇降足場によって運び上げ、任意の箇所で昇降足場に容易に着脱することができ、移動設置し易い異物落下防止装置を提供することができる。
【考案を実施するための最良の形態】
【００１４】
以下図示の実施形態を参照して本考案をより詳細に説明する。図１は本考案に係る異物落下防止装置を適用した昇降足場の一例を一部省略して示す正面図であり、１０は建築物類、１１、１２は左右に配置された一対のマスト、１３、１４は昇降機を示している。一対のマスト１１、１２に、昇降機１３、１４が各一基ずつ夫々昇降可能に装着され、昇降機１３、１４に足場本体１５が両端部近くにて取り付けられている。昇降機１３、１４は昇降機能と落下防止機能により、マスト１１、１２の高さの範囲で安全に昇降することができる。
【００１５】
マスト１１、１２は基台上に立設され、かつ、マスト１１、１２と建築物類１０とは壁つなぎ１７を用いて結合されている。このような昇降足場と建築物類１０との間には、隙間１６が設けてあり（図２参照）、作業者は昇降足場上にて上記隙間越しに作業をする。足場本体１５は、水平に昇降可能な細長い構造体であり、足場本体上において作業者を保護するために保護枠１８を一体に備えている。
【００１６】
保護枠１８は縦枠１８ａと横枠１８ｂとを組み合わせて構成され、足場本体１５の構造体を構成しており、隣接する縦枠１８ａ、１８ａの間に、後述する落下防止板２１及び落下防止補助片２８等から成る落下防止装置２０が取り付けられる。なお、図示の例では、足場本体１５の建築物類１０の側に張り出し部１９が設置されており、この部分に本発明に係る落下防止装置２０が設置されている（図３参照）。
【００１７】
落下防止装置２０は、基本的には異物を受け止め得る素材から成り、足場本体１５と建築物類１０との間の隙間１６を塞ぐ大きさ及び形状を有する前述の落下防止板２１と、上記落下防止板２１を足場本体１５に回転可能に取り付けたヒンジ機構２２を具備して構成されている。図示の例における落下防止板２１は、隣接する縦枠１８ａ、１８ａの間隔に収まる長さと、昇降足場と建築物類１０との間の平均的な隙間１６の間隔よりも何割か大きい幅とを有する、板厚が数ｍｍから十数ｍｍ程度の合板から成るものである。しかし、素材については前記したとおり合板のほかに、プラスチック板、軽金属板など、軽量かつ所要の剛性と強度を有する板材から選択することができる。
【００１８】
上記落下防止板２１は、その先端部を建築物類１０にもたせかけるとともに、先端部を支えることによって傾斜状態で配置するものであることが望ましい。その支え手段２３の一つとして図示の例では、上部の横枠１８ｂに一端を取り付けたチェーンを用いて先端部を吊る方法を取っている（下から押し上げることも可能である）。これにより、落下防止板２１の先端部が傾斜の上位となり、足場本体１５の上面が傾斜の下位となるので、落下する異物を足場本体１５に集めることが可能になる。
【００１９】
また、落下防止板２１の先端部には建築物類側と接触する弾力性を有する保護部材２４を設ける。図示の保護部材２４はゴム板から成り、落下防止板２１の先端部を覆って設けられている。保護部材２４は様座な形態に形成し得るが、図６に示した可撓片３１のようなものでは、それ自体の弾力性によって壁面の形状通りに曲げられ、隙間１６を効果的に塞ぐことができる。
【００２０】
上記のヒンジ機構２２は、足場本体１５の構造体に着脱可能なヒンジ金具２５と、上記ヒンジ金具２５を用いて足場本体１５に取り付けたヒンジ軸２６と、上記ヒンジ軸２６に回転可能に係止した係止金具２７を具備し、上記係止金具２７は落下防止板２１に基端部側にて取り付けるという構成を取っている。また、上記ヒンジ金具２５は、保護枠１８の縦枠１８ａに嵌め込む軸受け部２５ａと、ヒンジ軸２６を嵌め込む軸受け部２５ｂとを有している（図４参照）。
【００２１】
なお、図示の例におけるヒンジ金具２５は、１個の金属軸材を曲げ加工したもので、軸受け部２５ａ、２５ｂは半リング状部を有するほぼＵ字型によって形成され、それらが直交するように設けられている。また、上記ヒンジ軸２６は、隣接する縦枠１８ａ、１８ａの間隔よりもやや長い長さを持ち、かつ、フランジ２６ａを両端部に有しているので、それ自体が抜け止めとして機能する。上記係止金具２７の方は、ヒンジ軸２６に嵌め込むほぼＪ字型の軸受け部２７ａと、落下防止板２１に取り付けるほぼＬ字型の取り付け部２７ｂとを組み合わせた形状を有しており、落下防止板２１に基端部側にボルト、ナットにより取り付けられる。
【００２２】
隣接する縦枠１８ａ、１８ａの間隔には広狭の差があり、間隔の広い方については上記のとおり落下防止板２１を用いて塞ぐが、間隔の狭い方については、落下防止補助片２８を設けて塞いでいる。落下防止補助片２８は、落下防止板２１の左右どちらかの端部に蝶番金具２９を用いて取り付けられ、落下防止板２１の上面に重ねた不使用位置から、反転させて隣接の落下防止板２１に渡し、狭い方の間隔部分を塞ぐものである（図７参照）。また、落下防止補助片２８は基端側と先端側に夫々ゴム等の弾性素材から成る可撓片３０、３１を有しており、基端側可撓片３０は隣接する縦枠１８ａ、１８ａを配置するために切り込み３０ａが形成されている。先端側可撓片３１は、前記保護部材２４と同様に機能する。図中、３２は足場本体周囲を囲む裾枠を示しており、３３は覆い部材で、いわゆるブルーシートなどを使用する。
【００２３】
このように構成されている本考案の装置では、落下防止板２１を、それと一体に備えている落下防止補助片２８、ヒンジ機構２２、支え手段２３などとともに足場本体１５に積載し、所定の施工位置まで昇降機１３、１４を駆動して搬送し、その位置において、足場本体１５に落下防止板２１を、ヒンジ機構２２を用いて取付けるものである。図５、図６は取り付けを終えた落下防止板２１と関連部分の関係を示しており、落下防止板２１は、建築物類１０の外壁に先端部の保護部材２４が当接して隙間１６を塞いでいる。
【００２４】
建築物類１０の表面に対する工事は、このような状況で行われるので、建築物類１０の外壁に対する工事に伴って、異物が発生し落下しても、それらは皆、落下防止板２１で捕捉され、足場本体１５から下方へ漏れ落とすことはない。特に、本考案の装置によれば、落下防止板２１は建築物類１０の外壁に先端部の保護部材２４が当接して隙間１６を塞ぐことができ、また、隣接の落下防止板２１、２１間の隙間も、落下防止補助片２８によって塞がれるので(図７参照)、足場本体１５と建築物類１０の外壁との隙間は、ほぼ完全に塞がれる。
【００２５】
さらに本考案では、落下防止板２１を、それと一体に備えている落下防止補助片２８、ヒンジ機構２２、支え手段２３などとともに足場本体１５に積載し、所定の施工位置まで搬送するので、上記所定の位置での作業を終了したなら、支え手段２３のチェーンを操作して落下防止板２１を先端側にて吊上げ、外壁から離して足場本体１５を昇降し、次の作業位置に移動することができる。従って、移動と次の作業へ向けた段取りが非常に容易であり、作業における安全性の向上に顕著な効果を発揮する。
【図面の簡単な説明】
【００２６】
【図１】本考案に係る異物落下防止装置を適用した昇降足場の一例を示す正面説明図である。
【図２】同じく側面図である。
【図３】本考案の装置を例示する斜視図である。
【図４】同上のものの分解斜視図である。
【図５】同上のものの部分平面図である。
【図６】同じく断面図である。
【図７】同じく落下防止補助片部分を示す斜視図である。
【符号の説明】
【００２７】
１０  建築物類
１１、１２  マスト
１３、１４  昇降機
１５  足場本体
１６  隙間
１７  壁つなぎ
１８  保護枠
１９  張り出し部
２０  落下防止装置
２１  落下防止板
２２  ヒンジ機構
２３  支え手段
２４  保護部材
２５  ヒンジ金具
２６  ヒンジ軸
２７  係止金具
２８  落下防止補助片
２９  蝶番金具
３０、３１  可撓片
【図１】
0003167834.tif 000003
【図２】
0003167834.tif 000004
【図３】
0003167834.tif 000005
【図４】
0003167834.tif 000006
【図５】
0003167834.tif 000007
【図６】
0003167834.tif 000008
【図７】
0003167834.tif 000009